(57)【要約】  本発明のボウフラ捕獲容器は、自然水を貯留可能な貯留容器（８）と、貯留容器（８）内に嵌入される上部が開放された凹誘導筒（１）と、凹誘導筒（１）の下部に形成された通路口（４）と、貯留容器（８）及び凹誘導筒（１）の水位が少なくとも通路口（４）の上端部以下の場合に通路口（４）を閉鎖する通路口閉鎖部（５）と、貯留容器（８）と凹誘導筒（１）との間の上部に形成された密閉空間（１１）と、を備え、凹誘導筒（１）内において産卵され、孵化したボウフラが通路口（４）を通って貯留容器（８）と凹誘導筒（１）の間に移動し、羽化した成虫となった後、該成虫が密閉空間（１１）において死滅し、蓄積されるように構成されていることを特徴とする。
2008035545.tif 000002
【特許請求の範囲】
【請求項１】
自然水を貯留可能な貯留容器と、
該貯留容器内に嵌入される上部が開放された凹誘導筒と、
該凹誘導筒の下部に形成された通路口と、
前記貯留容器及び前記凹誘導筒の水位が少なくとも前記通路口の上端部以下の場合に前記通路口を閉鎖する通路口閉鎖部と、
前記貯留容器と前記凹誘導筒との間の上部に形成された密閉空間と、
を備え、前記凹誘導筒内において産卵され、孵化したボウフラが前記通路口を通って前記貯留容器と前記凹誘導筒の間に移動し、羽化した成虫となった後、該成虫が前記密閉空間において死滅し、蓄積されるように構成されていることを特徴とするボウフラ捕獲容器。
【請求項２】
前記通路口は、前記凹誘導筒の下部に突設された中空管の内面壁に形成された傾斜誘導板の傾斜下端面に対向する周壁面に形成され、前記通路口閉鎖部は、前記中空管の外径部において前記貯留容器内の水位に応じて上下にスライド可能且つ脱落不能に設けられたリング状フロート弁である請求項１に記載のボウフラ捕獲容器。
【請求項３】
前記凹誘導筒は、前記貯留容器内の水位に応じて上下にスライド可能且つ脱落不能に設けられた凹浮体誘導筒であり、前記通路口は、前記浮体凹誘導筒の下部に突設された中空管の内面壁に形成された傾斜誘導板の傾斜下端面に対向する周壁面に形成され、前記通路口閉鎖部は、前記中空管が嵌入可能なように前記貯留容器の底面部に立設された通路閉鎖筒である請求項１に記載のボウフラ捕獲容器。
【発明の詳細な説明】
【技術分野】
【０００１】
本発明は、雨水などの自然水を満たした捕獲容器を屋外に設置して親蚊の産卵を誘い、数日後卵から孵化したボウフラを傾斜面に沿って沈降させて、脱出困難な容器内区域に誘導し、そこで成虫に羽化するまで成長させた後、死滅させて駆除するためのものである。【０００２】
仮に、自然蒸発によって水位が低下した場合でも、容器内部にて羽化した成虫が外界に脱出する事のないように、水量の増減に連動して上下動するリング状フロート弁によって通路口を自動的に閉鎖する機能をもつ、ボウフラ捕獲容器に関するものである。
【背景技術】
【０００３】
従来、意図的に蚊の生息場所に水を満たした容器を設置してこれに親蚊の産卵を誘い、卵あるいは幼虫期であるボウフラの段階において、人間の手によって水と共にこれらを廃棄して一掃駆除する手段はあった。【０００４】
またさらに発展させて、人間が水を廃棄する手間を省くために、卵から孵化したボウフラを、凹凸の誘導筒を組み合わせた容器内部に封じ込める発明（特許文献１）や、屋外設置において避ける事が難しい異物の侵入、あるいは水生生物の繁殖などによる、ボウフラ沈降通路口の閉塞という問題を解決する発明（特許文献２）が知られている。
【特許文献１】特開平１０−１４６１４５号公報
【特許文献２】特開２００６−２２３２７６号公報
【発明の開示】
【発明が解決しようとする課題】
【０００５】
以上のごとく、蚊が卵あるいは幼虫期であるボウフラの段階において駆除するのが効率もよく、かつ有効な手段といえる。【０００６】
しかしながら、あまり一般的には実施されていないのが現状である。その理由としては、次のような問題点があげられる。
（イ）蚊の卵は非常に小さく、容器内部の水ぎわに親蚊が産卵したのか否かを目視にて判断する事は極めて困難であるため、水を廃棄するタイミングがつかいみにくい。
（ロ）定期的に人間が水を廃棄・補充するにしても手間がかかり、また仮に廃棄するのを忘れてしまった場合には、駆除とは逆に繁殖に適した環境を提供する可能性がある。
（ハ）ボウフラを捕獲するための容器は屋外に設置して使用する関係上、各種異物の侵入や沈殿、あるいは水生生物の繁殖は避けられず、（特許文献１）のごとく凹凸の誘導筒を嵌合させてボウフラの沈降通路を形成する構造の場合、隙間寸法が非常に狭く設定されるため、屋外に設置後ごく短期間にて異物によって隙間が埋まり、捕獲機能が損なわれる可能性がある。
（ニ）異物による支障を避け捕獲機能を正常に維持するためには、随時の分解洗浄が必要とされるが、（特許文献２）の構造の場合、分解すると部品が個々に分離するため、再度組み立てた時に部品の組み忘れや紛失、あるいは変形、損傷の恐れがある。
（ホ）ボウフラは呼吸するために水底から水面までほぼ垂直に浮上する行動習性があるため、（特許文献２）のごとく通路口が中空管の底面部、いわゆる真下方向に開口された構造の場合、逆行浮上して脱出する確率が高く、捕獲効果の低下を招きやすい。
【課題を解決するための手段】
【０００７】
本発明に係るボウフラ捕獲容器は、自然水を貯留可能な貯留容器と、該貯留容器内に嵌入される上部が開放された凹誘導筒と、該凹誘導筒の下部に形成された通路口と、前記貯留容器及び前記凹誘導筒の水位が少なくとも前記通路口の上端部以下の場合に前記通路口を閉鎖する通路口閉鎖部と、前記貯留容器と前記凹誘導筒との間の上部に形成された密閉空間と、を備え、前記凹誘導筒内において産卵され、孵化したボウフラが前記通路口を通って前記貯留容器と前記凹誘導筒の間に移動し、羽化した成虫となった後、該成虫が前記密閉空間において死滅し、蓄積されるように構成されていることを特徴とする。【０００８】
そして、前記通路は、前記凹誘導筒の下部に突設された中空管の内面壁に形成された傾斜誘導板の傾斜下端面に対向する周壁面に形成され、前記通路口閉鎖部は、前記中空管の外径部において前記貯留容器内の水位に応じて上下にスライド可能且つ脱落不能に設けられたリング状フロート弁であってもよい。【０００９】
また、前記凹誘導筒は、前記貯留容器内の水位に応じて上下にスライド可能且つ脱落不能に設けられた凹浮体誘導筒であり、前記通路口は、前記浮体凹誘導筒の下部に突設された中空管の内面壁に形成された傾斜誘導板の傾斜下端面に対向する周壁面に形成され、前記通路口閉鎖部は、前記中空管が嵌入可能なように前記貯留容器の底面部に立設された通路閉鎖筒であってもよい。
【図面の簡単な説明】
【００１０】
【図１】本発明の実施の形態に係るボウフラ捕獲容器を一部破断して示す断面図である。
【図２】本発明の実施の形態に係るボウフラ捕獲容器の他の実施例を示す断面図である。
【図３】本発明の実施の形態に係るボウフラ捕獲容器のさらに他の実施例を示す部分断面図である。
【発明を実施するための最良の形態】
【００１１】
以下、図面を参照しつつ、本発明の実施の形態に係るボウフラ捕獲容器について説明する。【００１２】
図１に示すように、本発明の実施の形態に係るボウフラ捕獲容器は、自然水を貯留可能な貯留容器（８）と、該貯留容器（８）内に嵌入される上部が開放された凹誘導筒（１）と、該凹誘導筒（１）の下部に形成された通路口（４）と、貯留容器（８）及び凹誘導筒（１）の水位が少なくとも通路口（４）の上端部以下の場合に通路口（４）を閉鎖する通路口閉鎖部であるリング状フロート弁（５）と、貯留容器（８）と凹誘導筒（１）との間の上部に形成された密閉空間である死骸槽（１１）とを備えている。【００１３】
通路口（４）は、凹誘導筒（１）の下部に突設された中空管（３）の内面壁に形成された傾斜誘導板（２）の傾斜下端面に対向する周壁面に形成され、リング状フロート弁（５）は、中空管（３）の外径部において貯留容器（８）内の水位に応じて上下にスライド可能且つ脱落不能に設けられている。【００１４】
本発明は以上のような構造であり、これを使用するときは、あらかじめ貯水容器（８）内を満水状態にしておく必要があるが、この時、浄化処理が施された水道水は用いず、川や池あるいは雨のたまり水など、親蚊が好んで産卵するといわれる有機質の自然水を使用する。【００１５】
万一、貯水容器（８）内に過剰な給水がなされた場合には、余分な水は排水溝（７）から排出され、満水時の水位（１２）は一定に保たれる。【００１６】
さらに、設置しようとする捕獲容器内に親蚊の産卵を集中させるため、蚊の生息区域に存在している他のたまり水を可能なかぎり廃棄し、再び雨水などがたまる事のないように周辺環境を整えておく。【００１７】
以上の事前準備をした後、直射日光や風の影響を受けず、かつ降雨時には適度に凹誘導筒（１）内に雨水などの自然水が供給される場所を選び、垂直に安定した状態にて本捕獲容器を設置し、産卵槽（９）内への親蚊の産卵を待つ。【００１８】
産卵直後の蚊の卵（１４）は、凹誘導筒（１）上部の内周壁面に付着するか、あるいは水面上に浮遊しているが、数日後に孵化したボウフラ（１５）となった時点で水中を遊泳し始め、呼吸と捕食を行うために水底から水面までの浮上と沈降を繰り返す。【００１９】
従って、凹誘導筒（１）内に産卵に支障ない程度にて水量が保たれていれば、リング状フロート弁（５）は中空管（３）を軸として浮力によって浮上し、凹誘導管（１）の外周壁底部にあたって停止して通路口（４）は開口状態にあるため、蚊の卵（１４）から孵化したボウフラ（１５）は、凹誘導筒（１）の円錐内斜面に沿って中央の開口部に誘導され、中空管（３）に内設された傾斜誘導板（２）の斜面上を滑落した後、通路口（４）を経由して成育槽（１０）側に移動する。【００２０】
この成育槽（１０）内の自然水にはボウフラの餌となる藻や微生物が生息し、かつ水面上部の空間には空気層も存在するので、この区域内にて成長を続ける事は可能である。【００２１】
ここで、成育槽（１０）から産卵槽（９）への逆行通路ともなる通路口（４）は、浮上
と沈降を繰り返す垂直方向の往復路からは外れた位置関係、即ち、中空管（３）の周壁面に開口されているため、容易に産卵槽（９）側に逆浮上することなく成長を続け、やがて成育槽（１０）内の水面上において羽化した成虫（１６）となる。【００２２】
羽化した成虫（１６）は、出口を求めて死滅槽（１１）側に移るが、この空間内には外
界への脱出可能な通路口はなく、また成虫の餌も存在しないため、数日後に死滅した成虫（１７）として蓄積される。【００２３】
貯水容器（８）の材質を、透明又は半透明の透過視可能な樹脂材など用いる事によって、死骸の蓄積状況を容器外部から目視できるため、駆除効果の確認が容易となる。【００２４】
また、仮に降雨がなくかつ気温の高い日が続いた場合には、自然蒸発によって貯水容器（８）内部の水量が減少し、渇水時の水位（１３）に至る事もある。【００２５】
この時、水位の低下に伴って降下したリング状フロート弁（５）が自動的に通路口（４）を閉鎖するため、成育槽（１０）内部にて羽化した成虫（１６）が外界に脱出することは不可能となる。【００２６】
その後、降雨あるいは人為的に水が供給されて再び水位が上昇すれば、リング状フロート弁（５）は中空管（３）を軸として浮力によって浮上し、通路口（４）が自動的に開口されるため、後続の産卵に備える事ができる。【００２７】
即ち、リング状フロート弁（５）の浮力作用によって、気候条件による水量の増減変動に対しても自動対応が可能である。【００２８】
さらに、図２に示すごとく、リング状フロート弁（５）を用いる事なく、水より比重の軽い樹脂材などで作られた凹浮体誘導筒（１８）を、水量の増減に連動して自由に上下動可能な嵌め合い寸法にて、貯水容器（８）内に嵌入しても捕獲効果が得られる。【００２９】
即ち、凹誘導筒として、貯留容器（８）内の水位に応じて上下にスライド可能且つ脱落不能に設けられた凹浮体誘導筒（１８）を設置し、通路口（４）を、この浮体凹誘導筒（１８）の下部に突設された中空管（３）の内面壁に形成された傾斜誘導板（２）の傾斜下端面に対向する周壁面に形成する。また、通路口閉鎖部として、中空管（３）が嵌入可能なように貯留容器（８）の底面部に通路閉鎖筒（１９）を立設する。【００３０】
このような構造で、貯水容器（８）内部の水が渇水時の水位（１３）にある時には、凹浮体誘導筒（１８）は降下状態にあり、中空管（３）の周壁面に開口された通路口（４）は通路口閉鎖筒（１９）内に収まっているため、成育槽（１０）内部にて羽化した成虫（１６）が外界に脱出することは不可能であるが、貯水容器（８）内に給水がなされた場合には、水位の上昇に連動して凹浮体誘導筒（１８）が浮上すると同時に、通路口（４）も徐々に通路口閉鎖筒（１９）の端面以上に浮上して、ボウフラが沈降通過する通路口（４）は全開となり、産卵待機状態とすることができる。【００３１】
尚、排水に関する構造も図１の場合と同一であるため、貯水容器（８）内に過剰な給水がなされた場合には、余分な水は貯水容器（８）の外周壁上部に設けられた排水溝（７）から排出されるので、満水時の水位（１２）は一定に保たれる。【００３２】
また、凹浮体誘導筒（１８）が必要以上に浮上する事によって、中空管（３）が通路口閉鎖筒（１９）から完全に抜ける事のないように、死骸槽（１１）の外周底面凸部の段差を利用した浮上規制ストッパー（２１）と、凹浮体誘導筒（１８）の最外周壁下端部に設けられた浮上規制突起（２２）を当接させることで、浮上移動量の規制をおこなう。【００３３】
その他の機能としては、凹浮体誘導筒（１８）の円錐外周面に設けられた空気溜め円筒壁（２０）には空気が抜け出る通気口が存在しないため、水位が上昇した場合、内部空間に空気が残留するので、凹浮体誘導筒（１８）の浮力を増大させる効果がある。【００３４】
ここで、図１および図２の中空管（３）内面に設けられた傾斜誘導板（２）は共に片側傾斜面の形状となっているが、これを図３に示すごとく三角形状の両面誘導傾斜板（２３）とし、通路口（４）を２箇所設けても捕獲機能上にさしつかえない。【００３５】
このような構造にすることによって、万一、片方の通路口（４）が異物によって閉塞した場合でも、もう一方がボウフラの沈降通路としての機能を残す可能性があるため、捕獲機能不全に至る確率を低減させることができる。【００３６】
上記したように本発明の実施の形態に係るボウフラ捕獲容器によれば、以下の効果を奏することができる。
（イ）蚊の生息域において、雨水などの自然水が適度に供給される場所を選んで捕獲容器を設置しておくだけで、その後人間の手による定期的な水の廃棄や補充の手間を必要とせずに、ボウフラを捕獲し駆除することができる。【００３７】
また、容器内部において成虫まで育てた後に死滅させて死骸を蓄積するため、その駆除効果を容器外部から目視にて確認することも可能である。
（ロ）電源の確保や維持の必要がないため、設置しようとする地域や場所の制約がなく、安価にて継続的な広域駆除を行うことが可能である。【００３８】
また、リング状フロート弁による通路口の閉鎖機構が簡素であるため、寒冷地において冬期間に屋外放置された場合でも、容器内残留水の凍結によって生ずる応力による部品の変形や破損、あるいはこれらに起因する作動上の不具合も発生しにくい。
（ハ）捕獲容器は屋外に設置する関係上、各種異物の沈殿あるいは水生生物の繁殖による通路口の閉塞という問題を生じやすく、捕獲機能に支障をもたらす可能性が大きい。【００３９】
しかし、本案のごとくある程度の隙間寸法をもって通路口を設けておけば、沈降した微細な異物類は通路口を経由して成育槽側に移動するため蓄積されることはなく、また、藻などが繁殖した場合でも、早期段階における通路口の閉塞は避けられる。
（ニ）異物による機能上の支障を避けるためには、随時の分解洗浄が必要とされるが、主要部品であるリング状フロート弁が分離することなく中空管に遊嵌された構造となっているため、分解洗浄した後に再度組み立てる場合においても、部品の組み忘れや紛失、あるいは、変形、損傷など不測の事態を低減させることができる。
（ホ）ボウフラは呼吸のために水底から水面までほぼ垂直に浮上する行動習性があるため、通路口が真下に開口した構造の場合には、一旦は成育槽側に移動したとしても再び産卵槽側に逆行浮上して成虫に至り、外界に脱出してしまう可能性がある。【００４０】
しかし、この通路口を中空管の底面部に開口するのではなく、周壁面部に設けることによって、ボウフラの浮上進路からは外れるため、外界脱出の確率を低減させることが可能である。
（ヘ）自然蒸発によって水量が減少した場合には、水位の低下に伴って降下したリング状フロート弁が自動的に通路口を閉鎖するため、容器内部において羽化した成虫は外界に脱出することはできず、その後、降雨によって雨水が供給され再び水位が上昇すれば、リング状フロート弁は浮力によって浮上し、ボウフラの沈降通路口が自動的に開口されるので、後続の産卵に備える事ができる。【００４１】
即ち、リング状フロート弁の浮力作用によって水量の増減変動に対応可能である。
（ト）自然蒸発により水位が低下した場合には、リング状フロート弁によって蚊の脱出通路口が閉鎖されるのと同時に、貯水容器内部のたまり水と外気との接触も断たれ、唯一の通気路は排水溝のみとなるため蒸発速度は極端に遅くなる。【００４２】
従って、ある程度の期間は貯水容器内部に水がたまった状態が維持されているので、たとえ降雨などによって供給される水が少量であった場合でも、再び産卵槽内に水を蓄えることが容易であり、後続の産卵に備えた環境を整え易い。
（チ）成虫の捕獲装置において使用される誘引効果を発揮するガス類や光源，熱源、あるいはボウフラに対して成長抑制効果や殺虫効果をもつとされる銅などの金属類や薬剤を用いる事なく、雨水などの自然水のみを利用した駆除手段であるため、天然あるいは人工的な資源の浪費や環境への悪影響を避けることができ、さらに将来的に薬剤に対する耐性種を出現させる恐れもない。
（リ）近年、地球温暖化の影響によってマラリア・デング熱・西ナイル熱などの熱帯感染症を媒介する蚊の生息域の北上と拡大が、国内外を問わず危惧され始めているが、自然環境に悪影響を与えることなく個体数の削減を図ることによって、感染症の拡大抑止と罹患予防、さらにこれらが蔓延した場合における蚊の防除作業や医療処置など、様々な損失や弊害を未然に低減させる事ができる。
【図１】
2008035545.tif 000003
【図２】
2008035545.tif 000004
【図３】
2008035545.tif 000005
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
自然水を貯留可能な貯水容器と、
該貯水容器内に嵌入される上部が開放された凹誘導筒と、
該凹誘導筒の下部に形成された通路口と、
前記貯水容器及び前記凹誘導筒の水位が少なくとも前記通路口の上端部以下の場合に前記通路口を閉鎖する通路口閉鎖部と、
前記貯水容器と前記凹誘導筒との間の上部に形成された密閉空間と、
を備え、前記凹誘導筒内において産卵され、孵化したボウフラが前記通路口を通って前記貯水容器と前記凹誘導筒の間に移動し、羽化した成虫となった後、該成虫が前記密閉空間において死滅し、蓄積されるように構成されており、
前記通路口は、前記凹誘導筒の下部に突設された中空管の内面壁に形成された傾斜誘導板の傾斜下端面に対向する周壁面に形成され、前記通路口閉鎖部は、前記中空管の外径部において前記貯水容器内の水位に応じて上下にスライド可能且つ脱落不能に設けられたリング状フロート弁であることを特徴とするボウフラ捕獲容器。
【請求項２】
（削除）
【請求項３】
前記凹誘導筒は、前記貯水容器内の水位に応じて上下にスライド可能且つ脱落不能に設けられた凹浮体誘導筒であり、前記通路口は、前記浮体凹誘導筒の下部に突設された中空管の内面壁に形成された傾斜誘導板の傾斜下端面に対向する周壁面に形成され、前記通路口閉鎖部は、前記中空管が嵌入可能なように前記貯水容器の底面部に立設された通路閉鎖筒である請求項１に記載のボウフラ捕獲容器。
【国際調査報告】
2008035545.tif 000006
2008035545.tif 000007
2008035545.tif 000008
2008035545.tif 000009